(57)【要約】【課題】通信帯域が充分確保できず、かつ、バッファ量が充分に確保できない環境で利用する場合であってもインターネットラジオの再生を即座に実行することのできるデータ再生装置を提供することを目的とする。【解決手段】データ再生装置１０１は、インターネット通信を行う通信部１０２と、インターネット通信を制御するインターネット制御部１０３と、再生を制御する再生制御部１０８と、受信したデジタルデータを格納するバッファ１１０と、インターネットサーバに要求するデータを制御する受信データ制御部１０９から構成され、受信データ制御部１０９は前記インターネットサーバから受信したデジタルデータを再生するためのアプリケーションが実行中か否かに応じて前記インターネットサーバに要求するデータを決定する。【選択図】図１
2014016656.tif 000002
【特許請求の範囲】
【請求項１】
インターネットサーバから受信したデジタルデータを再生するデータ再生装置であって、前記データ再生装置は、インターネット通信を行う通信部と、インターネット通信を制御するインターネット制御部と、再生を制御する再生制御部と、前記インターネットサーバから受信したデジタルデータを格納するバッファと、前記インターネットサーバに要求するデータを制御する受信データ制御部と、を具備し、前記受信データ制御部は前記インターネットサーバから受信したデジタルデータを再生するためのアプリケーションが実行中か否かに応じて前記インターネットサーバに要求するデータを決定する、ことを特徴とするデータ再生装置。
【請求項２】
前記受信データ制御部は、前記インターネットサーバから受信したデジタルデータを再生するためのアプリケーションが実行中でないことと、前記インターネット上のサーバから受信したデジタルデータを再生するためのアプリケーション以外のアプリケーションがインターネット通信を行っていること、の少なくともいずれか１つを満たすとき、前記インターネットサーバから受信したデジタルデータを再生するためのアプリケーションを実行中よりも低いビットレートのデジタルデータを前記インターネットサーバに要求する、ことを特徴とする請求項１に記載のデータ再生装置。
【請求項３】
前記データ再生装置は、複数のインターネットサーバからそれぞれデジタルデータを同時に受信でき、前記受信データ制御部は、再生しているデジタルデータ１以外のデジタルデータ２〜デジタルデータＮは前記デジタルデータ２〜デジタルデータＮを再生するときよりも低いビットレートで前記インターネットサーバに要求するように決定する、ことを特徴とする請求項１または２に記載のデータ再生装置。
【請求項４】
前記デジタルデータはインターネットラジオサービスで提供されるデジタル音楽データである、ことを特徴とする請求項１から３いずれかに記載のデータ再生装置。
【請求項５】
前記データ再生装置もしくは、前記データ再生装置の設置箇所は移動可能であり、前記受信データ制御部は、前記通信部から得られる通信帯域の情報に基づいて前記インターネットサーバに要求するデータを決定する、ことを特徴とする請求項１から４いずれかに記載のデータ再生装置。
【発明の詳細な説明】
【技術分野】
【０００１】
本発明はインターネット上のサーバから取得したデジタルデータを用いるアプリケーションを実行する装置、特にインターネットラジオの音楽データを受信して再生するデータ再生装置に関するものである。
【背景技術】
【０００２】
インターネットは利用者数や通信先のサーバまでの距離、間にあるルーター数などにより利用可能な通信帯域は変動するため、必ずしも所望の通信帯域を確保することができない。そこでストリーミング再生を実現するアプリケーションではバッファに一定量のデータを先読みして保存しておき、一時的に通信帯域が不足してもコンテンツの再生が途切れないようにしている。以後、この処理をバッファリングと記す。
【０００３】
バッファリングするデータ量はアプリケーションによって様々であるが、数秒から数１０秒分のデータを保存してから再生開始するものが多く、すなわち、ユーザはアプリケーションを起動して再生開始しようとしても実際に再生が開始されるまで数秒から数１０秒待たされるという課題がある。例えば、インターネットラジオにてあるサイトの音楽データを聴いているときに他のサイトに接続先を切替えた場合も同様に再生が開始されるまでユーザは待たされることになる。
【０００４】
このため、従来のコンテンツ出力装置では、あるチャンネルの放送を受信（再生）する際に、他のチャンネルの放送もバッファに受信しておくものが知られている（例えば特許文献１参照）。このようにすることで、他のチャンネルをユーザが選択した場合も既にコンテンツデータがバッファリングされているため即座に再生を開始することができる。
【０００５】
ところで携帯電話や車載端末は、通常、電源をＯＦＦすることなく利用されることが多い。携帯電話は電源をＯＦＦすると電話の着信ができなくなり、その利便性が低下する。また、車載端末はバッテリー駆動によりある一定量の消費電力によってユーザが設定した情報などを保持している。これらの装置でインターネットラジオの音楽データを聴くためのアプリケーションを起動した際、一般的にはユーザが前回聴いてていたサイトの情報を保持しており、そのサイトの音楽データの再生を自動的に開始する。
【０００６】
また、携帯電話や車載端末はＰＣ同様にインターネットラジオ以外にも様々なアプリケーションに対応している。
【０００７】
携帯電話であればメモリーカードに記録した音楽データの再生が可能であったり、さらに、スケジュール管理やゲームといった専用アプリケーションに対応している機器もある。
【０００８】
車載端末は、ＣＤ／ＤＶＤ再生が可能であったり、携帯電話同様にメモリーに記録した音楽再生が可能であったりする。また、外部入力端子を備え、ユーザが持ち込んだ音楽再生機器を接続できるものもある。
【先行技術文献】
【特許文献】
【０００９】
【特許文献１】特開２００５−４４１４９号公報
【発明の概要】
【発明が解決しようとする課題】
【００１０】
携帯電話や車載端末において、他のアプリケーションを実行中にインターネットラジオを再生しようとしたときに即座に再生できるように特許文献１に記載の技術を適用することを想定する。携帯電話や車載端末はＰＣなどの家庭に設置して用いられる装置と比較すると、移動しながらインターネット接続しなければならないという環境であるため一般的には通信帯域が充分確保できない。すなわち、例えば、実行中のアプリケーションがインターネット通信を用いるものである場合、通信帯域が不足して実行中のアプリケーションの動作に影響を及ぼしたり、インターネットラジオのデータバッファリングが充分できないという課題を有している。
【００１１】
また、一般的には携帯電話や車載端末はハード資源に制限を受けやすく、バッファ容量を充分に確保できない場合がある。すなわち、他のアプリケーションを実行中に音楽データをバッファリングするという場合にバッファ容量が少ないため複数のサイトからの音楽データをバッファリングするだけのバッファ容量を確保できないという課題を有している。
【００１２】
本発明は、上述した従来技術の問題を解決するためになされたもので、通信帯域が充分確保できず、かつ、バッファ量が充分に確保できない環境で利用される携帯電話や車載端末であってもインターネットラジオの再生を即座に実行することのできるデータ再生装置を提供することを目的とする。
【課題を解決するための手段】
【００１３】
上記目的を達成するために本発明は、インターネットサーバから受信したデジタルデータを再生するデータ再生装置であって、インターネット通信を行う通信部と、インターネット通信を制御するインターネット制御部と、再生を制御する再生制御部と、インターネットサーバから受信したデジタルデータを格納するバッファと、インターネットサーバに要求するデータを制御する受信データ制御部とを具備し、受信データ制御部はインターネットサーバから受信したデジタルデータを再生するためのアプリケーションが実行中か否かに応じてインターネットサーバに要求するデータを決定する、という特徴を有する。
【発明の効果】
【００１４】
本発明によれば、インターネットラジオアプリケーションを実行していない場合に音楽データを受信する場合に他のアプリケーションがインターネット通信を利用しているか否かに応じて通信帯域の使用量を制御することで他のアプリケーションに影響を与えないように通信帯域を効率的に利用することができる、という効果を奏する。
【図面の簡単な説明】
【００１５】
【図１】本発明の実施の形態１におけるデータ再生装置のブロック図
【図２】本発明の実施の形態１におけるインターネットラジオ再生開始処理の動作説明のためのフロー図
【図３】本発明の実施の形態１におけるインターネットラジオデータ受信処理の動作説明のためのフロー図
【図４】本発明の実施の形態１における要求データ判定処理の動作説明のためのフロー図
【発明を実施するための形態】
【００１６】
（実施の形態１）
以下、本発明の実施の形態１におけるデータ再生装置について図面を参照しながら説明する。
【００１７】
図１は本発明の実施の形態１におけるデータ再生装置のブロック図である。本実施の形態１におけるデータ再生装置は音楽データを再生する装置であるとし、特にインターネットラジオの音楽データを再生する動作について説明する。
【００１８】
図１において、データ再生装置１０１は、インターネットサーバ１２１と接続しインターネット通信が可能な装置である。
【００１９】
また、データ再生装置１０１は、インターネットサーバ１２１との通信を行う通信部１０２、インターネット通信の制御を行うインターネット制御部１０３、アナログラジオ放送やデジタルラジオ放送を受信するラジオチューナー１０４、音楽データを記録するデータ記録部１０５、ＣＤ（Ｃｏｍｐａｃｔ  Ｄｉｓｃ）からデータを読み出すＣＤドライバ１０６、ＵＳＢ（Ｕｎｉｖｅｒｓａｌ  Ｓｅｒｉａｌ  Ｂｕｓ）メモリデバイスやポータブルオーディオ機器を接続可能なＵＳＢドライバ１０７、再生動作を制御する再生制御部１０８、再生制御部１０８の動作状態に応じてインターネットサーバ１２１から受信するデータを制御する受信データ制御部１０９、音楽データ再生時にデータを先読みして保存するためのバッファ１１０、音楽データを再生する音楽再生部１１１、から構成される。
【００２０】
更に、データ再生装置１０１は音声出力を行う音声出力部１１２、ユーザ操作を受信する入力部１１３と接続される。
【００２１】
通信部１０２は、インターネットサーバ１２１との通信を行う。本実施の形態１においてはデータ再生装置１０１は移動しながら利用されることを想定し、通信部１０２は無線通信、例えば、無線ＬＡＮ（Ｌｏｃａｌ  Ａｒｅａ  Ｎｅｔｗｏｒｋ）を用いて通信を行うものとする。
【００２２】
なお、無線ＬＡＮはＩＥＥＥ８０２．１１ａ，ｂ，ｇ，ｎのいずれの方式であってもよい。また、無線通信は無線ＬＡＮに限られたものではなく、他の無線通信方式であっても同様に構成することが可能である。
【００２３】
また、特定の場所でデータ再生装置１０１を利用する場合などは有線通信を利用して通信を行ってもよい。
【００２４】
インターネット制御部１０３はインターネット通信のための処理を行う。具体的には接続先のアドレスを指定したり、インターネット通信に必要となるパケットデータの送受信制御を行う。
【００２５】
また、本実施の形態１のデータ再生装置１０１においてはインターネットラジオアプリケーションを起動するとインターネットサーバ１２１へ接続してインターネットラジオの音楽データを聴くことができるものとする。
【００２６】
このとき、インターネット制御部１０３はインターネットラジオサービスを提供するサイトのアドレスを指定し、接続および通信を行うものとする。
【００２７】
ラジオチューナー１０４はアナログラジオ放送やデジタルラジオ放送の電波を受信して音楽信号に復調する。
【００２８】
データ再生装置１０１においては、ラジオアプリケーションを起動することでラジオチューナー１０４で受信した音声を聞くことができるものとする。
なお、デジタルラジオ放送は地域によって方式が異なるが、いずれの方式であっても同様に構成することが可能である。
【００２９】
データ記録部１０５はデジタルデータを記録するための記録媒体であり、例えば、ＨＤＤ（Ｈａｒｄ  Ｄｉｓｋ  Ｄｒｉｖｅ）である。
本実施の形態１においてはデジタル音楽データが保存されるものとし、ＨＤＤオーディオアプリケーションを起動することでデジタル音楽データを再生することができるものとする。
【００３０】
なお、データ記録部１０５はＨＤＤに限られたものではなくフラッシュメモリなどの不揮発性メモリであってもよい。
【００３１】
ＣＤドライバ１０６はＣＤからデータを読み出す。本実施の形態１におけるＣＤドライバ１０６はＣＤ‐ＤＡ（Ｃｏｍｐａｃｔ  Ｄｉｓｃ  Ｄｉｇｉｔａｌ  Ａｕｄｉｏ）やユーザがデジタル音楽データを記録したＣＤ−Ｒ（Ｃｏｍｐａｃｔ  Ｄｉｓｃ  Ｒｅｃｏｒｄａｂｌｅ）やＣＤ−ＲＷ（Ｃｏｍｐａｃｔ  Ｄｉｓｃ  ＲｅＷｒｉｔａｂｌｅ）を読み出し可能であるとし、ＣＤアプリケーションを起動することでＣＤに記録されているデジタル音楽データを再生することができるものとする。
【００３２】
なお、ＣＤドライバ１０６は、ＤＶＤ（Ｄｉｇｉｔａｌ  Ｖｅｒｓａｔｉｌｅ  Ｄｉｓｃ）ドライバやＢＤ（Ｂｌｅ‐ｒａｙ  Ｄｉｓｃ）ドライバであっても同様に構成することが可能である。
【００３３】
ＵＳＢドライバ１０７は、ＵＳＢメモリデバイスやポータブルオーディオ機器を接続でき、ＵＳＢメモリデバイスやポータブルオーディオ機器に記録されている音楽データを読み出すことができる。
【００３４】
ＵＳＢオーディオアプリケーションを起動することでＵＳＢドライバ１０７に接続されたＵＳＢメモリデバイスやポータブルオーディオ機器に記録されている音楽データを再生することができるものとする。
【００３５】
なお、本実施の形態１においてはＵＳＢドライバ１０７を用いてＵＳＢ通信するものとしたが他のバス規格やインターフェース規格を利用して通信する構成であっても同様に構成することが可能である。その場合は規格に対応したドライバを準備すればよい。
【００３６】
再生制御部１０８は、起動させるアプリケーション、すなわち、再生する音楽データを入力部１１３からの入力に基づき決定する。
【００３７】
そして、インターネット制御部１０３、ラジオチューナー１０４、データ記録部１０５、ＣＤドライバ１０６、ＵＳＢドライバ１０７のいずれかから音楽データを読み込みバッファ１１０を経由して音楽再生部１１１へ出力する。
【００３８】
受信データ制御部１０９は再生制御部１０８の動作状態に応じて、具体的には動作させているアプリケーションに応じてインターネットサーバ１２１から取得するデータのビットレートを制御する。受信データ制御部１０９の詳細動作については後述する。
【００３９】
バッファ１１０は再生する音楽データを先読みして保存しておくためのメモリである。バッファ１１０に蓄えられるデータは長期間保存しておく必要はないためバッファ１１０として揮発性メモリが用いられるものとする。
【００４０】
音楽再生部１１１は各アプリケーションの実行に応じて再生制御部１０８が取得する音楽データを伸張して音声信号を生成する。
【００４１】
本実施の携帯１における音楽再生部１１１はＭＰ３（ＭＰＥＧ１  Ａｕｄｉｏ  Ｌａｙｅｒ‐３）フォーマットに対応しているものとする。
【００４２】
なお、対応するフォーマットはＭＰ３に限られたものではなく、ＡＡＣ（Ａｄｖａｎｃｅｄ  Ａｕｄｉｏ  Ｃｏｄｉｎｇ）などの他の圧縮方式や、更に非圧縮方式にも対応するとしてもよい。
【００４３】
音声出力部１１２は音楽再生部１１１から出力される音声信号を出力する、例えば、スピーカである。
【００４４】
なお、本実施の形態１では音声出力部１１２はデータ再生装置１０１と接続される形態としているが、データ再生装置１０１に備えられる形態としてもよい。
【００４５】
入力部１１３は、ユーザ操作を受信し、再生制御部１０８に通知する、例えば、リモコンである。ユーザは入力部１１３より所望のアプリケーションを起動させることができるものとする。
【００４６】
なお、本実施の形態１では入力部１１３はデータ再生装置１０１と接続される形態としているが、データ再生装置１０１に内蔵される形態としてもよい。
この場合は、例えば、データ再生装置１０１に配置されたキー操作ボタンであったり、あるいは、データ再生装置１０１がディスプレイ（図示せず）を備えたものであればタッチパネルとしても実現可能である。
【００４７】
ここで、インターネットラジオの音楽データを再生開始させる動作、インターネットラジオ再生開始処理について、図２のフロー図を用いてい説明する。
【００４８】
まず、データ再生装置１０１に電源が投入され起動する（ステップＳ２０１）。電源の投入は電源スイッチをＯＮすることによってなされ、例えば、データ再生装置１０１が車に設置される場合はイグニッションスイッチと連動してデータ再生装置１０１に電源が投入されるものとしてもよい。
【００４９】
次に、インターネットラジオアプリケーションを起動させる（ステップＳ２０２）。ただし前回、データ再生装置１０１の電源を切ったときの最終アプリケーションがインターネットラジオであった場合は、最終アプリケーションの情報を保持しておき、データ再生装置１０１の起動（ステップＳ２０１）後に自動的にアプリケーションが起動するものとする。
【００５０】
すなわち、図２で説明するインターネットラジオ再生開始処理は、データ再生装置１０１の前回の電源を切るときの最終アプリケーションがインターネットラジオであったものとする。
【００５１】
なお、ユーザ操作によってデータ再生装置１０１起動（ステップＳ２０１）後に入力部１１３よりデータ再生装置１０１にアプリケーションの起動を指示するものとしてもよい。
【００５２】
起動させるアプリケーションが決定すると再生制御部１０８はアプリケーションの種別に応じて各ブロックに指示を出す。ステップＳ２０２においてはインターネットラジオアプリケーションの起動のため、再生制御部１０８はインターネット制御部１０３にインターネットラジオの音楽データ取得を指示する。
【００５３】
ステップＳ２０２でインターネットラジオアプリケーションを起動し、再生制御部１０８から音楽データ取得の指示を受信したインターネット制御部１０３は次に、通信部１０２を経てインターネットサーバ１２１へ接続する（ステップＳ２０３）。
【００５４】
ここで、接続先は前回のインターネットラジオアプリケーション起動時に接続していたインターネットラジオサービスを提供するサイトであるとする。この情報は再生制御部１０８が不揮発性メモリ（図示せず）などに保持しているものとする。
【００５５】
また、インターネットラジオアプリケーション起動時に必ず所定のサイト、例えば、複数のインタネットラジオサイトのリンク先を提供しているようなポータルサイトに接続するものとしてもよい。
【００５６】
なお、インターネット通信では、定期的に双方向で通信を行う必要がある場合がほとんどである。インターネット通信処理自体は本発明に直接関連するものではないため、詳細な動作説明は割愛する。
【００５７】
インターネットサーバ１２１に接続したら、受信データ制御部１０９によって要求データ判定処理を行う（ステップＳ２０４）。この処理によって、インターネットサーバ１２１に要求する音楽データの種別を決定する。要求データ判定処理については後述する。
【００５８】
次に、要求データ判定処理によって決定した音楽データをインターネットサーバ１２１に要求する（ステップＳ２０５）。
【００５９】
この処理は、受信データ制御部１０９より要求データ判定処理の結果を受信したインターネット制御部１０３がインターネットサーバ１２１へ要求する処理である。
【００６０】
以後、インターネットサーバ１２１より、通信部１０２、インターネット制御部１０３を経て再生制御部１０８が音楽データの受信を始める。受信した音楽データはバッファ１１０に格納される。
【００６１】
データ受信を始めると、再生制御部１０８はバッファしきい値判定を行う（ステップＳ２０６）。ここでは、バッファしきい値とは例えば、取得中の音楽データのビットレートに応じて、ある一定の時間分のデータ量をしきい値とするものとする。あるいは、ある一定のデータ量をしきい値としてもよい。
【００６２】
なお、バッファしきい値の判定を一度行ったあとはアプリケーションや取得する音楽データのビットレートが変更しない限り判定処理を省略してもよい。
【００６３】
バッファしきい値が決定されるとバッファ１１０に格納されているデータ量がバッファしきい値に到達しているか否かを判断する（ステップＳ２０７）。
データ量がしきい値に到達してる場合は再生を開始するのに十分なデータを蓄えられたということであるため再生を開始する（ステップＳ２０８）。
【００６４】
データ量がしきい値に到達していない場合は再生を開始するのに十分なデータが蓄えられていないということであるため、ステップＳ２０５に戻り、データ受信を継続する。
【００６５】
ステップＳ２０８における再生開始は、再生制御部１０８がバッファ１１０より音楽データを読み出し、読み出した音楽データを音楽再生部１１１にて音声信号に変換し、音声出力部１１２より音声が出力される。
【００６６】
以上、図２を用いてインターネットラジオ再生開始処理について説明した。なお、通信帯域が不足してバッファ１１０に蓄えられた音楽データがしきい値を下回る場合もあるが、再生開始後は再生を継続することで一時的な通信帯域不足によるデータ欠落（音切れ）を防止することができる。
【００６７】
次に図３のフロー図を用いて、起動後にインターネットラジオアプリケーション以外のアプリケーションが実行される場合のインターネットラジオデータ受信処理について説明する。ここではＣＤアプリケーションが起動されるものとする。
まず、データ再生装置１０１に電源が投入され起動する（ステップＳ３０１）。この処理は図２におけるステップＳ２０１と同様である。
【００６８】
次に、ＣＤアプリケーションを起動させる（ステップＳ３０２）。前回データ再生装置１０１の電源を切ったときの最終アプリケーションがＣＤあった場合は、最終アプリケーションの情報を保持しておき、データ再生装置１０１の起動（ステップＳ３０１）後に自動的にアプリケーションが起動するものとする。
【００６９】
なお、ユーザ操作によってデータ再生装置１０１起動（ステップＳ３０１）後に入力部１１３よりデータ再生装置１０１にアプリケーションの起動を指示するものとしてもよい。
【００７０】
再生制御部１０８は、ステップＳ３０２においてはＣＤアプリケーションの起動のため、ＣＤドライバ１０６にディスクからのデータ読み出しを指示する。更に、再生制御部１０８はインターネット制御部１０３にインターネットラジオの音楽データ取得を指示する。
【００７１】
ステップＳ３０２で再生制御部１０８から音楽データ取得の指示を受信したインターネット制御部１０３は通信部１０２を経てインターネットサーバ１２１へ接続する（ステップＳ３０３）。この処理は図２におけるステップＳ２０３と同様である。
【００７２】
インターネットサーバ１２１に接続したら、受信データ制御部１０９によって要求データ判定処理を行う（ステップＳ３０４）。
この処理も図２におけるステップＳ２０４と同様であるが、インターネットラジオアプリケーション起動時とＣＤアプリケーション起動時では判定の結果が異なる。要求データ判定処理については後述する。
【００７３】
次に、要求データ判定処理によって決定した音楽データをインターネットサーバ１２１に要求する（ステップＳ２０５）。
この処理も図２におけるステップＳ２０６と同様である。インターネットラジオアプリケーションは起動していないが、インターネットサーバ１２１より、通信部１０２、インターネット制御部１０３を経て再生制御部１０８が音楽データの受信を始め、受信した音楽データはバッファ１１０に格納される。
【００７４】
データ受信を始めると、再生制御部１０８はバッファしきい値判定を行う（ステップＳ３０６）。
【００７５】
この処理も図２におけるステップＳ２０６と同様であるが、インターネットラジオアプリケーションを実行中でない場合は、実行中よりもバッファ量しきい値を下げるように設定すれば他のアプリケーションで利用できるバッファ１１０の領域を増加させることができる。
【００７６】
ただし、バッファしきい値を下げるとインターネットラジオアプリケーション起動時に再生開始できるだけのデータ量を確保できない場合もある。
【００７７】
その場合はインターネットラジオアプリケーション起動後の再生開始時間が遅くなるが、システム全体としての成立性を考慮してバッファしきい値を決めればよい。
【００７８】
そして図２のステップＳ２０７と同様に、バッファしきい値が決定するとバッファ１１０に格納されているデータ量がバッファしきい値に到達しているか否かを判断する（ステップＳ３０７）。
【００７９】
データ量がしきい値に到達してる場合は十分なデータを蓄えられたということであるがラジオアプリケーションが起動中でないため、古い音楽データを破棄し、新しいデータで上書きすることでデータ更新を行う（ステップＳ３０８）。
【００８０】
データ量がしきい値に到達していない場合は十分なデータが蓄えられていないということであるため、ステップＳ３０５に戻り、データ受信を継続する。
【００８１】
以上、図３を用いてインターネットラジオ以外のアプリケーションを実行中のインターネットラジオデータ受信処理について説明した。
【００８２】
このように他のアプリケーションが起動中であってもバッファ１１０に事前にインターネットラジオの音楽データを蓄えておくことでユーザがインターネットラジオアプリケーションを起動したときには即座に音楽データの再生を行うことができる。
【００８３】
図２におけるステップＳ２０４、および、図３におけるステップＳ３０４の要求データ判定処理について図４のフロー図を用いて詳細を説明する。要求データ判定処理は受信データ制御部１０９によって実施される。
【００８４】
ます、インターネットサーバ１２１に接続して所望のインターネットラジオサービスを提供するサイトより再生可能な音楽データ種別を確認する（ステップＳ４０１）。受信データ制御部１０９はインターネット制御部１０３、通信部１０２経て、インターネットサーバ１２１から音楽データ種別の情報を取得する。
【００８５】
音楽データ種別とは、例えば、ビットレートの異なる音楽データのことであるとする。本実施の形態１においてはインターネットラジオサービスで高ビットレート（高品質）の音楽データと低ビットレート（標準品質）の音楽データとの２種類が用意されているものとし、ユーザが選択できるものとする。
【００８６】
通信帯域が十分であるような環境の場合は高ビットレートの音楽データを選択すれば高品質な音楽を聴くことができる。
【００８７】
通信帯域が十分でない環境の場合に高ビットレートの音楽データを選択するとデータ欠落により音切れなどが発生し、ユーザは快適に音楽を聴くことできない。
このとき低ビットレートの音楽データを選択すれば音質はやや劣化するが音切れすることなく音楽を聴くことができるようになる。
【００８８】
次に、実行中のアプリケーションを確認する（ステップＳ４０２）。本実施の形態１では音楽再生に関連するアプリケーションのみ記載しているが、実際のデータ再生装置１０１はそれ以外のアプリケーション、例えば、ナビゲーションやＷｅｂブラウザといったア
プリケーションにも対応しているものがある。
【００８９】
ステップＳ４０２ではデータ再生装置１０１における音楽再生に関連しないアプリケーションも確認するものとする。
【００９０】
ステップＳ４０２にて実行中のアプリケーションを確認した受信データ制御部１０９はインターネットラジオアプリケーションが実行中であるか否かを判断する（ステップＳ４０３）。
【００９１】
ここで、インターネットラジオアプリケーションを実行中である、すなわち、インターネットラジオの音楽データを再生しなければならないと判断した場合は、ステップＳ４０４へ進む。
【００９２】
逆に、インターネットラジオアプリケーションを実行中でない、すなわち、インターネットラジオの音楽データを再生しなくてよいと判断した場合は、ステップＳ４０５へ進む。
【００９３】
ステップＳ４０３においてインターネットラジオアプリケーションを実行中であると判断された場合は、要求データを高ビットレートデータであると判定し（ステップＳ４０４）、処理を終了する。
【００９４】
ステップＳ４０３においてインターネットラジオアプリケーションを実行中でないと判断された場合は、他のアプリケーションがインターネット通信を使用しているか否かを判断する（ステップＳ４０５）。
【００９５】
他のアプリケーションがインターネット通信を使用している場合は、要求データを低ビットレートデータであると判定し（ステップＳ４０６）、処理を終了する。逆に、インターネット通信を使用していない場合は要求データを高ビットレートデータであると判定し（ステップＳ４０４）、処理を終了する。
【００９６】
以上、説明したとおり要求データ判定処理が行われる。インターネットラジオアプリケーション実行中はインターネットラジオの音楽データをユーザが聴くということであるため、高ビットレートデータ、すなわち、高品質のデータを要求する。
【００９７】
インターネットラジオアプリケーションを実行中でない、かつ、他のアプリケーションがインターネット通信を利用している場合は、高ビットレートデータを要求すると通信帯域をインターネットラジオデータ受信で占有してしまい他のインターネット通信に影響をおよぼしてしまう。したがってこの場合は低ビットレートを要求するように制御する。
【００９８】
インターネットラジオアプリケーションを実行中でない、かつ、他のアプリケーションがインターネット通信を利用していない場合は、インターネットラジオの音楽データを再生する必要はないが、通信帯域を占有しても他のアプリケーションに影響を及ぼさないため高ビットレートデータを要求しても問題ない。
【００９９】
以上、本実施の形態１で示したデータ再生装置１０１はインターネットラジオアプリケーションを実行していない場合もインターネットラジオの音楽データを受信しておくことで、ユーザが所望のタイミングでインターネットラジオアプリケーションを起動させてもデータバッファリングされる時間を待つことなく即座に音楽データの再生を開始することができる。
【０１００】
さらに、インターネットラジオアプリケーションを実行していない場合に音楽データを受信する場合にも他のアプリケーションがインターネット通信を利用しているか否かに応じて通信帯域の使用量を制御することで他のアプリケーションに影響を与えないように通信帯域を効率的に利用することができる。
【０１０１】
また、バッファしきい値を制御することでバッファ１１０を効率的に利用することができる。
【０１０２】
なお、本実施の形態１ではインターネットラジオの音楽データ再生について述べたが、これに限られたものではなくビデオデータでも同様の効果を得ることができる。
【０１０３】
また、データ再生装置１０１はラジオアプリケーション以外にＣＤアプリケーション、ＨＤＤオーディオアプリケーション、ＵＳＢオーディオアプリケーションに対応するとしたがこれに限られたものではない。これ以外のアプリケーションに対応していてもよいし、逆にこれらのアプリケーションに対応していなくてもよい。
【０１０４】
また、インターネットラジオの音楽データの受信は一つとして説明したが、コレに限られたものではない。複数のサイト（チャンネル）の音楽データを受信するとしてもよい。この場合、インターネットラジオアプリケーションを実行している場合にどのサイトの音楽データを再生するかに応じて受信する音楽データ種別を判定するようにすればよい。
【０１０５】
また、インターネットラジオアプリケーションを実行しているか否か、他のアプリケーションによるインターネット通信の利用に応じて音楽データ種別を制御するとしたが、これに限られたものではない。例えば、通信状態に応じて音楽データ種別を制御するとしても同様の効果を得ることができる。
【０１０６】
また、音楽データの種別は高ビットレートのものと低ビットレートのものの２種類としたが、これに限られたものではない。複数のビットレートパターンに応じた場合であってもよい。
【０１０７】
この場合はアプリケーションのインターネット通信の利用状況と通信状況を考慮して最適なビットレートの音楽データ種別を選択するようにすればよい。
【産業上の利用可能性】
【０１０８】
本発明は、インターネット接続におけるストリーミング再生を行うデータ再生装置で、特に、通信帯域が不安定な環境で用いる場合やハード資源に制約がある場合に利用するデータ再生装置として有用である。
【符号の説明】
【０１０９】
１０１  データ再生装置
１０２  通信部
１０３  インターネット制御部
１０４  ラジオチューナー
１０５  データ記録部
１０６  ＣＤドライバ
１０７  ＵＳＢドライバ
１０８  再生制御部
１０９  受信データ制御部
１１０  バッファ
１１１  音楽再生部
１１２  音声出力部
１１３  入力部
１２１  インターネットサーバ
【図１】
2014016656.tif 000003
【図２】
2014016656.tif 000004
【図３】
2014016656.tif 000005
【図４】
2014016656.tif 000006